(57)【特許請求の範囲】
【請求項１】
凹部が設けられたケース部と、
移動体の状況を示す意匠部が設けられ、前記凹部の開口部を覆う表示板と、
前記凹部内の前記意匠部の背面側に配置され、前記意匠部に向かって光を出射する光源と、を備え、
記凹部内における前記光源からの光の放射空間が、当該光源から前記表示板まで連続して設けられ、
前記凹部の内周面は、前記光源からの光を前記意匠部に導くために反射するように設けられた表示装置において、
前記内周面には、前記開口部側に設けられた第１内周面と、前記第１内周面の前記開口部から離れた側に設けられた第２内周面と、が設けられ、
前記第１内周面と前記表示板とがなす角である第１の角度は、前記第２内周面と前記表示板とがなす角である第２の角度よりも小さくなるように形成されていることを特徴とする表示装置。
【請求項２】
前記第１内周面には、シボ部が形成された光拡散部が設けられていることを特徴とする請求項１に記載の表示装置。
【発明の詳細な説明】
【技術分野】
【０００１】
本発明は、自動車などの移動体に搭載される表示装置に関する。
【背景技術】
【０００２】
上述した表示装置としては、例えば、図２に示すように、移動体としての自動車などの車両に搭載されたメータ１０１などが知られている。同図に示すメータ１０１は、凹部１０２Ａ、１０２Ｂが設けられたケース部１０２と、移動体の状況を示すための複数の意匠部５ａが設けられ、前記凹部１０２Ａ、１０２Ｂの開口部としての表示用開口部３を覆う表示板５と、前記凹部１０２Ａ、１０２Ｂ内の前記意匠部５ａの背面側に配置され、該意匠部５ａに向かって光Ｌ１０を出射する光源６と、を備えている。
【０００３】
上記複数の凹部１０２Ａ、１０２Ｂは、互いに隣り合う位置に設けられている。また、各凹部１０２Ａ、１０２Ｂの内周面１２１は、前記光源６からの光Ｌ１０を前記意匠部５ａに導くために反射するように設けられている。また、各凹部１０２Ａ、１０２Ｂには、前記表示用開口部３と対向する位置に開口した光源用開口部１０４が設けられている。この光源用開口部１０４には、配線板７に搭載された光源６が通される。
【０００４】
上記表示板５の正面側の表面には、移動体の状況を示す複数の意匠部５ａが設けられている。図２中の凹部１０２Ｂに示すように、これら複数の意匠部５ａそれぞれの、表示用開口部３の端部３ａに位置付けられた縁部には、内周面１２１に反射した光Ｌ１０は出射されないので、該意匠部５ａは、表示用開口部３の端部３ａから一定寸法Ｒをあけた位置（中央部）に位置付けられるように設けられている。この一定寸法Ｒには、表示板５の後述する遮光層５３が設けられている。
【０００５】
また、表示板５は、透明基板５１と、該透明基板５１の正面側に設けられた意匠表示層５２と、前記意匠表示層５２の前記正面側に設けられた遮光層５３と、によって構成されている。上記遮光層５３は、前記意匠部５ａが除かれた部分に設けられている。
【０００６】
上記光源６は、複数設けられている。また、各光源６は、配線板７に搭載された状態で、各光源用開口部１０４それぞれを通される。こうして、各光源６は、凹部１０２Ａ、１０２Ｂ内の意匠部５ａ（表示板５）の背面側に配置され、該意匠部５ａに向かって光Ｌ１０を出射する。
【０００７】
しかしながら、前述した従来のメータ１０１には、以下に示す問題があった。即ち、従来のメータ１０１において、隣り合う意匠部５ａ同士を近接した位置に設ける場合には、図２中の凹部１０２Ａに示すように、各意匠部５ａの縁部が、表示用開口部３の端部３ａに近接した位置に位置付けられることとなり、各意匠部５ａと、表示用開口部３の端部３ａとの間に一定寸法Ｒを設けることができなくなり、表示用開口部３の端部３ａに近接した位置に位置付けられた各意匠部５ａの縁部の輝度が、前記表示用開口部３の中央部に位置付けられた前記縁部以外の輝度に比べて低くなってしまうことで、当該意匠部５ａの縁部が明確に視認されなくなり、輝度ムラが生じてしまう問題があった。
【０００８】
そこで、隣り合う意匠部５ａ同士を近接した位置に設ける場合には、意匠部５ａを、前記表示用開口部３の端部３ａから一定寸法Ｒをあけた前記表示用開口部３の中央部に設けられるように、該意匠部５ａを小さくするなどして対応してきたが、意匠部５ａを小さくすることで、該意匠部５ａの視認性が悪くなるとともに、該意匠部５ａのデザインに制限が生じてしまう問題があった。
【０００９】
また、凹部１０２Ａ、１０２Ｂの内周面１２１と表示板５とがなす角度を大きくすることで、表示用開口部３を大きくして、各意匠部５ａの縁部と、表示用開口部３の端部３ａとの間に、一定寸法Ｒを確保すると、内周面１２１に反射する光Ｌ１０の反射角度が大きくなってしまい、該内周面１２１に反射される光Ｌ１０の反射回数が変わってしまうことで、表示板５上に形成された意匠部５ａの輝度が変わってしまい、予め表示板５に施された調光印刷の程度を、再度調整しなおさなければいけなくなり、コストがかかってしまうという問題があった。
【発明の概要】
【発明が解決しようとする課題】
【００１０】
そこで、本発明は、上記のような問題点に着目し、隣り合う意匠部同士が近接した位置に設けられた際においても、デザインに制限が生じることなく意匠部を形成することができるとともに、輝度ムラを抑制して視認性の向上を図った表示装置を提供することを課題としている。
【課題を解決するための手段】
【００１１】
請求項１に記載の本発明は、凹部が設けられたケース部と、移動体の状況を示す意匠部が設けられ、前記凹部の開口部を覆う表示板と、前記凹部内の前記意匠部の背面側に配置され、前記意匠部に向かって光を出射する光源と、を備え、記凹部内における前記光源からの光の放射空間が、当該光源から前記表示板まで連続して設けられ、前記凹部の内周面は、前記光源からの光を前記意匠部に導くために反射するように設けられた表示装置において、前記内周面には、前記開口部側に設けられた第１内周面と、前記第１内周面の前記開口部から離れた側に設けられた第２内周面と、が設けられ、前記第１内周面と前記表示板とがなす角である第１の角度は、前記第２内周面と前記表示板とがなす角である第２の角度よりも小さくなるように形成されていることを特徴としている。
【００１２】
請求項２に記載の本発明は、請求項１に記載の本発明において、前記第１内周面には、シボ部が形成された光拡散部が設けられていることを特徴としている。
【発明の効果】
【００１３】
請求項１記載の本発明によれば、凹部が設けられたケース部と、移動体の状況を示す意匠部が設けられ、前記凹部の開口部を覆う表示板と、前記凹部内の前記意匠部の背面側に配置され、前記意匠部に向かって光を出射する光源と、を備え、記凹部内における前記光源からの光の放射空間が、当該光源から前記表示板まで連続して設けられ、前記凹部の内周面は、前記光源からの光を前記意匠部に導くために反射するように設けられた表示装置において、前記内周面には、前記開口部側に設けられた第１内周面と、前記第１内周面の前記開口部から離れた側に設けられた第２内周面と、が設けられ、前記第１内周面と前記表示板とがなす角である第１の角度は、前記第２内周面と前記表示板とがなす角である第２の角度よりも小さくなるように形成されているので、隣り合う意匠部同士が近接した位置に設けられた際においても、各意匠部の縁部と、表示用開口部の端部との間に、一定寸法を確保することができるので、デザインに制限が生じることなく意匠部を形成することができるとともに、輝度ムラを抑制して視認性の向上を図った表示装置を提供することができる。
【００１４】
請求項２記載の本発明によれば、前記第１内周面には、シボ部が形成された光拡散部が設けられているので、前記第１内周面から正面側に出射された光は拡散されることとなり、よって、より一層、照明ムラの発生の抑制を図ることができる。
【図面の簡単な説明】
【００１５】
【図１】（ａ）は、本発明の一実施の形態にかかるメータの上面図であり、（ｂ）は、（ａ）中のＩ−Ｉ線に沿う断面図である。
【図２】（ａ）は、従来のメータの上面図であり、（ｂ）は、（ａ）中のＩＩ−ＩＩ線に沿う断面図である。
【発明を実施するための形態】
【００１６】
本発明の一実施の形態にかかる表示装置としてのメータを、図１を参照して説明する。
【００１７】
上記メータ１は、図１に示すように、複数の凹部２Ａ、２Ｂが設けられたケース部２と、移動体の状況を示す意匠部５ａが設けられ、前記凹部２Ａ、２Ｂの開口部としての表示用開口部３を覆う表示板５と、前記意匠部５ａに向かって光Ｌ１を出射する光源６と、前記光源６が搭載される配線板７と、を備えている。これら表示板５と、光源６と、配線板７とは、ケース部２に収容されている。上記表示板５と、光源６と、配線板７については、上述した背景技術で説明したものと同等であるため、ここでは詳細な説明は省略する。
【００１８】
上記複数の凹部２Ａ、２Ｂは、互いに隣り合う位置に設けられている。また、各凹部２Ａ、２Ｂの内周面２１は、前記光源６からの光Ｌ１を前記意匠部５ａに導くために反射するように設けられている。また、各凹部２Ａ、２Ｂには、前記表示用開口部３と対向する位置に開口した光源用開口部４が設けられている。この光源用開口部４には、配線板７に搭載された光源６が通される。
【００１９】
上記複数の凹部２Ａ、２Ｂのうち、一方の凹部２Ａの内周面２１には、表示用開口部３側に設けられた第１内周面としての第１反射面２１ａと、前記第１反射面２１ａの表示用開口部３から離れた側に設けられた第２内周面としての第２反射面２１ｂと、が設けられ、前記第１反射面２１ａと表示板５とがなす第１の角度θ１は、前記第２反射面２１ｂと後述する表示板５とがなす第２の角度θ２よりも小さくなるように形成されている。
【００２０】
次に、上述した構成のメータ１において、第１反射面２１ａが設けられた凹部２Ａの光源用開口部４を通された光源６から出射される光Ｌ１の進み方について以下説明する。
【００２１】
光源６から出射した光Ｌ１は、第２反射面２１ｂによって、一旦、反射された後、第１反射面２１ａによって表示板５に反射されて、該表示板５に入射（受光）された後、遮光層５３が形成されていない部分（即ち、意匠部５ａ）を透過して正面側に出射される。これにより、前記運転者に表示板５上に形成された意匠部５ａが光輝して視認される。
【００２２】
上述した実施形態によれば、凹部２Ａ、２Ｂが設けられたケース部２と、移動体の状況を示す意匠部５ａが設けられ、前記凹部２Ａ、２Ｂの開口部としての表示用開口部３を覆う表示板５と、前記凹部２Ａ、２Ｂ内の前記意匠部５ａの背面側に配置され、前記意匠部５ａに向かって光Ｌ１を出射する光源６と、を備え、前記凹部２Ａ、２Ｂの内周面２１は、前記光源６からの光Ｌ１を前記意匠部５ａに導くために反射するように設けられた表示装置において、前記内周面２１には、前記表示用開口部３側に設けられた第１内周面としての第１反射面２１ａと、前記第１反射面２１ａの前記表示用開口部３から離れた側に設けられた第２内周面としての第２反射面２１ｂと、が設けられ、前記第１反射面２１ａと前記表示板５とがなす第１の角度θ１は、前記第２反射面２１ｂと前記表示板５とがなす第２の角度θ２よりも小さくなるように形成されているので、隣り合う意匠部５ａ同士が近接した位置に設けられた際においても、各意匠部５ａの縁部と、表示用開口部３の端部３ａとの間に、一定寸法Ｒを確保することができるので、デザインに制限が生じることなく意匠部５ａを形成することができるとともに、輝度ムラを抑制して視認性の向上を図ったメータ１を提供することができる。
【００２３】
なお、本発明では、第１内周面としての第１反射面２１ａに、シボ加工が施されることで得られたシボ部（図示しない）が形成された光拡散部を有していてもよい。第１反射面２１ａに、光拡散部が設けられていることで、前記第１反射面２１ａから正面側に出射された光は拡散されることとなり、よって、より一層、照明ムラの発生の抑制を図ることができる。
【００２４】
また、上述した実施形態によれば、一方の凹部２Ａのみに、第１内周面としての第１反射面２１ａが設けられているが、本発明はこれに限ったものではなく、他方の凹部２Ｂに第１内周面としての第１反射面２１ａが設けられていてもよい。
【００２５】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２６】
１  メータ（表示装置）
２  ケース部
２Ａ  凹部
２１  内周面
２１ａ  第１反射面（第１内周面）
２１ｂ  第２反射面（第２内周面）
３  表示用開口部（開口部）
５  表示板
５ａ  意匠部
６  光源
Ｌ１  光
【図１】
0005642507.tif 000002
【図２】
0005642507.tif 000003